(57)【特許請求の範囲】
【請求項１】
水タンク内の排水口を開閉するゴムフロート弁に連結される引き上げ索条の連結部品付近に取付けて、ゴムフロート弁の閉じタイミングを早める水洗トイレ用節水具において、
前記索条を通す中央の孔と、この中央の孔から外周に達する索条出入スリットと、このスリットの両側に設けられたピン挿入孔とを有した本体と、前記索条出入スリットにまたがる状態で、両端部が前記各ピン挿入孔に通されてスリットを閉じる索条の外れ止めピンとを、組合せ備えたことを特徴とする水洗トイレ用節水具。
【請求項２】
本体は、異なった、または同じ重さのものを含む複数個を組合せ備える請求項１に記載の水洗トイレ用節水具。
【請求項３】
複数個の本体は、重なり合い状態で嵌まり合う凹凸形状を有している請求項２に記載の水洗トイレ用節水具。
【請求項４】
嵌まり合い部は、重なり合った本体どうしを回り止めする回り止め凹凸部である請求項３に記載の水洗トイレ用節水具。
【発明の詳細な説明】
【０００１】
【発明の属する技術分野】
本発明は節水具に関し、詳しくは水タンク内のゴムフロート弁の閉じタイミングを早めることで節水する水洗トイレ用節水具に関するものである。
【０００２】
【従来の技術】
この種の水洗トイレ用節水具は、例えば図１６及び図１７に示すようなトイレに設置されている水タンクａ内の排水口ｂを開閉するゴムフロート弁ｃの補助具として用いられる。
【０００３】
ゴムフロート弁ｃはレバーｆの操作によって引き上げ索条ｄが上方に引っ張られたとき持ち上げられて開き、水タンクａ内の水が排水口ｂから便器へと流出する。その際、ゴムフロート弁ｃは前記持ち上げられた位置から自重にて所定のタイミングで閉じる。しかし、この閉じタイミングは必要水量に対して遅すぎることがあり、節水が望まれる傾向にある。
【０００４】
これに対応するため、図１６、図１７に示すように水洗トイレ用節水具Ａをゴムフロート弁ｃの索条ｄを連結している部分に取り付け、調節用重りとしている。これによりゴムフロート弁ｃ単独の場合に比べ、節水具Ａの重さの分だけ排水口ｂを閉じるタイミングが早まり、流出する水量を少なくすることによって節水する。
【０００５】
この節水具Ａは、図１８に示すように中央に引き上げ索条ｄを通す孔ｅが開設されたドーナツ型のものや、図１９に示すように、ゴムフロート弁ｃの丸い外面に沿うようなドーム型のものなどがあり、金属や合成樹脂で形成されている。
【０００６】
【発明が解決しようとする課題】
しかし上記従来のような節水具Ａを取付けるには、中央の孔ｅに引き上げ索条ｄを通す必要がある。このため索条ｄの基端または先端における他部材との連結を一旦外した上で、再度連結する手間を要する。これは節水具Ａが不要になって取外す場合や、交換したい場合も同様の問題がある。
【０００７】
これを解消するためには、孔ｅから外周に向けて開放されるスリットを設けることが考えられる。しかし引き上げ索条ｄの引っ張りや、それに伴う水タンクａ内の水流によって節水具Ａが動いて、引き上げ索条ｄが孔ｅからスリットを通じて外に抜け、節水具Ａが外れることがある。その抜け止め策は種々考えられたが、かえってそのために節水具の構造が複雑になったり、節水具の数を調整したりするときに外れにくく不便になることがある。
【０００８】
そこで本発明は上記のような問題点を解消し、引き上げ索条の抜け止めを構造を複雑化することなく図り、節水具の重さ、数などを調整するのに便利な水洗トイレ用節水具を提供することを目的とする。
【０００９】
【課題を解決するための手段】
本願の請求項１の発明の水洗トイレ用節水具は、水タンク内の排水口を開閉するゴムフロート弁に連結される引き上げ索条の連結部品付近に取付けて、ゴムフロート弁の閉じタイミングを早める水洗トイレ用節水具において、前記索条を通す中央の孔と、この中央の孔から外周に達する索条出入スリットと、このスリットの両側に設けられたピン挿入孔とを有した本体と、前記索条出入スリットにまたがる状態で、両端部が前記各ピン挿入孔に通されてスリットを閉じる索条の外れ止めピンとを、組合せ備えたことを特徴とするものである。
【００１０】
このような構成では、本体の索条出入スリットを通じて、外周から引き上げ索条を本体の中央の孔に通すことによって、従来のように引き上げ索条を外すという面倒な作業なく、本体の取付けを行うことができる。そして、中央の孔に引き上げ索条を通した後に、外れ止めピンの両端部を各ピン挿入孔に挿入することによってスリットが閉じられ、索条の本体からの抜け止めを行うことができる。よって、引き上げ索条の引っ張りや、それに伴う水タンク内の水流によって本体が動いても、引き上げ索条が中央の孔からスリットを通じて外に抜けて外れるのを防止できる。外れ止めピンは両端部２箇所でのピン挿入孔への挿入によって自然には外れにくく上記外れ止め機能を十分に達成するが、両端部の挿入、抜き出しは同時に迅速かつ容易にできるので、本体の着脱、交換に便利である。
【００１１】
請求項２の発明は、請求項１の発明においてさらに、本体を複数個組合せ備えたものであり、同じ重さのものを重ね合わせたり、重さの異なったものを組合せ使用して微調整することにより、便器内に排出される流水の様子を見ながら、ゴムフロート弁の閉じるタイミングを任意に調節することができる。
【００１２】
請求項３の発明は、請求項２の発明において、複数個の本体が重なり合い状態で嵌まり合う凹凸形状を有しているものであり、この凹凸形状による互いの嵌まり合い状態によって、請求項１で前述したような本体自体の抜け止め作用に加え、個々の本体の重なり合いが崩れるのを防止して、複数の本体を用いるときのガタツキを抑えることができる。
【００１３】
請求項４の発明は、請求項３の発明において、嵌まり合い部を重なり合った本体どうしを回り止めする回り止め凹凸部としたものであり、上述した請求項３のように節水具の重なり合いの崩れを防止するのに加え、互いのガタツキをさらに防止しつつ、互いのスリットの向きが１８０°異なるように重ね合わせることによって互いに自身のスリットがない部分によって他方のスリットを閉じるので、重なり合っている各本体の外れ止めピンの使用を省略することも可能になる。
【００１４】
【発明の実施の形態】
以下、本発明の２つの実施の形態について図１〜図１６を参照しながら説明する。この節水具は、従来図で説明したように、トイレに設置されている水タンク内の排水口を開閉するゴムフロート弁１３に連結される引き上げ索条４の連結部付近に取付けられている。この節水具により、ゴムフロート弁１３が排水口を閉じるタイミングを早め、流出する水量を制限することによって節水するしくみは従来と同様である。
【００１５】
（実施の形態１）
図１及び図１０は本発明の実施の形態１としての水洗トイレ用節水具を示している。この節水具は、図１で示すように円盤状の本体１と、図２で示すように本体１の微調整用に用いられる円形シート状の本体２、そして図３及び図４に示す外れ止めピン３とを組合せ備えたものである。本体１は鋳物製で重量は３５ｇであり、一方、本体２は真鍮製で重量は１０ｇである。本体１、２は共に、その中央に引き上げ索条４（図６）を通す孔５、６が開設され、この孔５、６から外周に達する索条出入スリット７、８が開設されている。このスリット７、８を通じて、外周から引き上げ索条４を孔５、６に通すことによって、従来のように節水具の取付けのために索条４の連結を外すといった面倒な作業なく行うことができるようになる。
【００１６】
本体１のスリット７の両側には２つのピン挿入孔９が備えられている。一方、本体２のスリット８の１８０°反対側には２つのピン挿入孔１０が備えられている。これらピン挿入孔９、１０に挿入される外れ止めピン３は、図３及び図４に示すようにステンレス製の平板を細く裁断して形成されている。ピン挿入孔９、１０は、外れ止めピン３の両端部３ｂの０．２ｍｍ〜０．３ｍｍ幅の横断面形状に合わせ、矩形に開設されている。ピン挿入孔９、１０で折り曲げられる外れ止めピン３の中央部の表裏面４箇所には圧痕３ａが刻印されており、図４にＨで示す圧痕３ａ、３ａ間は１０ｍｍとなっている。
【００１７】
本体１は図８及び図９で示すように本体２と組合せて用いたり、図１０で示すように２つ重ねて用いたりする場合もあるが、外れ止めピン３の本体１に取付ける方法は同じであるので、図５ないし図７で示すように単独で用いた場合について説明する。
【００１８】
外れ止めピン３は図５に示すように、先ず圧痕３ａ、３ａを利用してこの部分で折り曲げた後、両端３ｂをピン挿入孔９に挿入する。挿入後の両端部３ｂの先端は後述する節水具の凹部１２の裏面でさらに折り曲げて抜け止めしている。しかしこの抜け止めは特に必要ない。この先端の折り曲げは、圧痕３ｃ、３ｃを利用して行う。この圧痕３ｃは圧痕３ａよりも広域を窪ませてそのどの部分でも折り曲げやすくしている。こうすることで本体１、２の厚味の違いに対応できる。
【００１９】
以上のように外れ止めピン３をピン挿入孔９、１０に挿入すると、外れ止めピン３はスリット７、８をまたがるように装着され、スリット７、８を閉じる。これにより、引き上げ索条４の本体１、２からの抜け止めを行うことができる。
【００２０】
本体１の表面と裏面は、外周縁部１ａ、１ｂを残した内側に凹部１１、１２が形成され、凹部１２によって、図６で示すようにゴムフロート弁１３の球状の表面にも安定して載置されるようになっている。また外周縁部１ａの内周と本体２の外周とがほぼ一致するようになっている。よって、図８及び図９で示すように本体１と本体２とを組合せたときに、すっぽりと本体２を本体１の凹部１１に収容できるように工夫されている。この嵌まり合いによって本体１、２を組合せ用いて互いの重なりが、引き上げ策条４の引っ張りや、それに伴う水タンク内の水流等によって崩れてガタツキを起こすようなことを抑えることができる。尚、本体１、２の取付けのためにこれらに引き上げ索条４を通すが、引き上げ策条４を通した各本体１、２は、それらのスリット８、９の向きが１８０°異なるようにし、この状態で重なり合ったピン挿入孔９、１０に外れ止めピン３の両端部３ｂ、３ｂを挿入する。こうすることによって、本体１、２どうしを一体化でき、より確固な装着状態が得られる。この意味で、この際にも挿入後の両端部３ｂの先端の折り曲げを行うとより好適である。
【００２１】
凹部１１には中央の孔５の両側に２つの小凸部１４、１４が設けられ、この小凸部１４と係合するように、本体２には２つの小孔１５、１５が開設されている。よって、本体１と本体２とを組合せたときに小凸部１４と小孔１５とが係合して回り止め機能を果たすことにより、スリット８、９の向きが１８０°異なった状態を保てるので、これだけでも、従って外れ止めピン３を使用しなくても、本体１、２のそれぞれは自身のスリット７、８がない部分によって他のスリット８、９を閉じ状態として、引き上げ策条４の本体１、２からの外れ止めを行うことができる。
【００２２】
本実施の形態１では特に、凹部１１と本体２との嵌まり合いと、小凸部１４と小孔１５との係合とによって本体１、２の重なりがさらに崩れにくいものとなり、外れ止めピン３の使用を省略するのにより好都合である。
【００２３】
かくして、本体１、２を節水具として使用する場合に、既に説明したように図６及び図７で示すように本体１単独で使用したり（３５ｇ）、図８及び図９で示すように本体１と本体２とを組合せて使用したり（４５ｇ）、図１０で示すように本体１どうしを使用したり（７０ｇ）と、数や組合せを変えて重量を変化させながら調整することができる。
【００２４】
節水具の重量と使用される水の量と節水量、使用水率と節水率との関係を、水タンクの収容水量が１３リットルタイプもので実験した結果は下記の表１に示す通りであり、その平均値は下記の表２に示す通りである。
【００２５】
【表１】
0003630494.tif 000002
【００２６】
【表２】
0003630494.tif 000003
【００２７】
尚、本体１、２や外れ止めピン３の材質や形状、ピン挿通孔９、１０の形状、本体１、２の重なり状態での嵌まり合い部の形状や構造は種々に変更することができる。
【００２８】
（実施の形態２）
図１１ないし図１５は本発明の実施の形態２として水洗トイレ用節水具を示している。この節水具は、円盤状の本体１５と、第１の実施形態で示した外れ止めピン３とを組合せ備えたものである。本体１５はセラミックスで成型され重量は３０ｇである。中央に開設された引き上げ索条４を通す孔１６や、索条出入スリット１７は実施の形態１と同様であるので説明は省略する。
【００２９】
この節水具は重なり合い状態で嵌まり合うように、表面と裏面とがほぼ同一の凹面形状および凸面形状を有するものになっている。つまり表面は図１１に示すように、外周縁部１５ａを残した内周に凸部１８が形成され、一方、裏面は図１２に示すように、外周縁部１５ｂを残した内周に凹部１９が形成されている。凸部１８、凹部１９の直径線上の両側部には、重ね合わせたときに回り止めのための凹凸部となるテーパ面１８ａ、１９ａがそれぞれ形成されている。
【００３０】
外れ止めピン３を折り曲げてピン挿入孔２０に挿入するしくみは実施の形態１と同様である。尚、本体１５を図１４に示すように２つ重ね合わせて互いの重なりが崩れにくいようにして用いる場合に、各本体１５に索条４を通すが、索条出入スリット１７の向きが１８０度異なるようにすることによって、互いがスリット１７のない部分が他方のスリット１７を閉じて引き上げ策条４の本体１５からの外れ止めを行うので、各本体１５に外れ止めピン３を使用するのを省略することも可能になる。更に、凹凸を高くして嵌まり合い状態を深くすると重なり状態での安定度が増し、外れ止めピン３を省略するのにより好適である。
【００３１】
図１５はセラミックス製の本体１５と薄肉形成された本体２０とを重ね合わせた場合を示している。この本体１６は、ステンレス鋼等よりなる金属製で重量１０ｇであり、本体１５の表面の形状に沿った型に形成され、微調整に用いる。
【００３２】
本実施の形態２においても、本体１５、１６の材質や形状、重なりのための凹凸形状、および回り取付面のための嵌まり合い形状や構造は種々に変更することができる。
【００３３】
【発明の効果】
請求項１の発明によれば、引き上げ索条の連結を外すという面倒な作業なく、本体の取付けを行うことができると共に、スリットを閉じる外れ止めピンの作用によって構造を複雑化することなく、索条の抜け止めを図ることができ、引き上げ索条の引っ張りや、それに伴う水タンク内の水流の影響で、引き上げ索条がスリットを通じて本体から抜けて、節水具が外れるのを防止できる。しかも、外れ止めピンの挿入、抜き出しを迅速かつ容易にでき、本体の着脱、交換にも便利である。
【００３４】
請求項２の発明によれば、同じ重さのものを重ね合わせたり、重さの異なったものを組合せ使用して微調整することにより、便器内に排出される流水の様子を見ながら、ゴムフロート弁の閉じるタイミングを任意に調節することができて使用に便利である。
【００３５】
請求項３の発明によれば、重さや大きさの異なる本体を組合せた嵌まり合い状態によって、本体自体の抜け止め作用に加え、個々の本体の重なり合いが崩れるのを防止して、複数の本体を用いるときのガタツキを抑えることができる。
【００３６】
請求項４の発明によれば、請求項２及び請求項３の効果に加え、互いのガタツキをさらに防止しつつ、互いのスリットの向きが１８０°異なるように重ね合わせることによって、互いに自身のスリットがない部分によって他方のスリットを閉じるので、重なり合っている各本体の外れ止めピンの使用を省略することも可能になる。
【図面の簡単な説明】
【図１】本発明の第１の実施形態の節水具本体を示す斜視図。
【図２】本発明の第１の実施形態の節水具本体を示す斜視図。
【図３】本発明の第１の実施の形態の附属部を示す斜視図。
【図４】図３の縦断側面図。
【図５】本発明の第１の実施形態の主要部を断面した側面図。
【図６】本発明の第１の実施形態の使用状態を示す縦断側面図。
【図７】図６の平面図。
【図８】本発明の第１の実施形態の異種の本体２つを重ねた状態を示す断面図。
【図９】図８の斜視図。
【図１０】本発明の第１の実施形態の同種の本体２つを重ねた状態を示す断面図。
【図１１】本発明の第２の実施形態を上から見た斜視図。
【図１２】本発明の第２の実施形態を下から見た斜視図。
【図１３】本発明の第２の実施形態の縦断側面図。
【図１４】本発明の第２の実施形態の同種の本体を重ねた状態を示す縦断側面図。
【図１５】本発明の第２の実施形態の異種の本体２つを重ねた状態を示す断面図。
【図１６】従来の節水具の使用状態を示す斜視図。
【図１７】図１６の主要部の縦断側面図。
【図１８】従来の節水具を示す斜視図。
【図１９】従来の別な節水具を示す斜視図。
【符号の説明】
１、２、１５、２０  節水具本体
３  外れ止めピン
４  引き上げ索条
５、６、１６  中央の孔
７、８、１７  索条出入スリット
９、１０、２０  ピン挿入孔
１１、１２  凹部
１３  ゴムフロート弁
１４  小凸部
１５  小孔
１８  凸部
１９  凹部
１８ａ、１９ａ  テーパ面
【図１】
0003630494.tif 000004
【図２】
0003630494.tif 000005
【図３】
0003630494.tif 000006
【図４】
0003630494.tif 000007
【図５】
0003630494.tif 000008
【図６】
0003630494.tif 000009
【図７】
0003630494.tif 000010
【図８】
0003630494.tif 000011
【図９】
0003630494.tif 000012
【図１０】
0003630494.tif 000013
【図１１】
0003630494.tif 000014
【図１２】
0003630494.tif 000015
【図１３】
0003630494.tif 000016
【図１４】
0003630494.tif 000017
【図１５】
0003630494.tif 000018
【図１６】
0003630494.tif 000019
【図１７】
0003630494.tif 000020
【図１８】
0003630494.tif 000021
【図１９】
0003630494.tif 000022